(57)【要約】【課題】針金等により連結竿を摺動させて行なう不正行為による解錠を防止することができる機構を付加または追加できる遊技機用防犯装置を提供する。【解決手段】遊技機の施錠部はシリンダ錠に取り付けられたカム部材２が、シリンダ錠７に差し込んだ鍵を回すことにより、貫通溝６ａを有する連結竿８と貫通溝６ｂを有する連結竿１８、とカム部材２の係合爪２ａ、２ｂに係合して可動可能に枢支される。カム部材２の下部のロック部材１は、連結竿８、１８の貫通溝６ａ、６ｂに嵌合する形で配置され、施錠状態では連結竿８、１８の摺動をロックする位置に取り付けられている。嵌合状態の解除と解除不能な状態とに切替える切賛え保持機構がロック部材１とベース部材３に設けられている。【選択図】図３
2010154872.tif 000002
【特許請求の範囲】
【請求項１】
シリンダ錠の錠軸にカム部材が連結竿に係合可能に取り付けられ、基枠体の取付板が遊技機の前面枠の内側に取り付けられ、遊技機の本体枠の内側に受け金具を有する遊技機の施錠装置において、不正行為防止用の機構として、該連結竿の該カム部材が係合する貫通溝に対し、係止爪部が嵌合する構造を持つロック部材を有しており、該ロック部材には嵌合状態を該連結竿が摺動可能な状態と、摺動不可能な状態とに切り替える切り替え保持機構が設けられていることを特徴とする遊技機の施錠付加または追加装置。
【請求項２】
請求項１に記載の遊技機の施錠付加または追加装置であって、
シリンダ錠の錠軸には、カム部材が取り付けられており、該シリンダ錠を鍵により回転させることにより該カム部材が回転し該カム部材が連結竿を摺動させる機構になっており、該シリンダ錠を鍵により回転させた時にのみ、該カム部材により該連結竿貫通溝と該ロック部材係止爪部の嵌合状態が摺動可能な状態にする構成になっていることを特徴とする遊技機の施錠付加または追加装置。
【請求項３】
請求項１または２に記載の遊技機の施錠付加または追加装置にあって、
切り替え保持機構は、該ロック部材に設けられた２本の係止ピンがベース部材と該ロック部材にかけられた付勢部材により引き寄せられ、該カム部材に付勢する構成になっており、また該係止ピンをスライドさせる摺動可能な溝が設けられ、付勢力に抗して該カム部材を回動させることで該係止ピンが該ベース部材の溝をスライドし該ロック部材係止爪部の該連結竿貫通溝部への突出量が減少可能になる構成になっており、シリンダ錠に差し込んだ鍵が回転することにより、該シリンダ錠軸に固定された該カム部材が回動し、該カム部材により係止されていた該係止ピンが該ベース部材に設けられた溝をスライドし、該ロック部材係止爪部の突出量が減少することにより、該連結竿貫通溝部との嵌合が解除可能な状態となり、該シリンダ錠に差し込まれた鍵を抜ける状態位置まで戻すことで、該シリンダ錠軸に固定された該カム部材は回動し、該カム部材により該ベース部材の溝をスライドしていた該係止ピンが該付勢部材による付勢力により該カム部材の動きに連動して動作し、該ロック部材係止爪部と該連結竿貫通溝部が嵌合し解除不可能なな状態になる構成になっていることを特徴とする遊技機の施錠付加または追加装置。
【請求項４】
請求項１、２または３に記載の遊技機の施錠付加または追加装置にあって、
該ロック部材に設けた２本の係止ピンは該カム部材に対し対称な位置に構成され該シリンダ錠に差し込まれた鍵を右方向に回転させると上方の係止ピンが作動し、左方向に回転させると下方の係止ピンが作動する構成となっており、双方向において該ロック部材の係止爪部と該連結竿貫通溝部の嵌合状態が解除不可能な状態と解除可能な状態を切替えることができることで、該連結竿の上方への摺動および下方への摺動のロック状態の保持と解除を一つの該ロック部材にて可能になっていることを特徴とする遊技機の施錠付加または追加装置。
【請求項５】
請求項１，２，３または４に記載の遊技機の施錠付加または追加装置にあって、
付加または追加する装置の部材は該カム部材と該シリンダ錠の取り付けベースの間のスペースに配置する構成となっており、遊技機に何ら支障をおよぼすことのないような構成になっていることを特徴とする遊技機の施錠付加または追加装置。
【発明の詳細な説明】
【技術分野】
【０００１】本発明は、遊技機の外枠に対して内枠および前枠またはガラス枠を施錠する遊技機用施錠装置の不正解錠防止付加または追加装置に関する。
【背景技術】
【０００２】従来、遊技機の施錠装置として、一般に、基枠体の内側に連結竿が摺動可能に配置され、基枠体の支持板も前後および上部と下部に鉤部材が、連結竿に連結されてスライド可能に枢支され、基枠体の取り付け板にシリンダ錠がその錠軸を取り付け板に設けた孔から差し込むように固定され、錠軸の先端に連結竿と係合するカム部材が取り付けられた構造の施錠装置が使用されている。【０００３】この種の遊技機の施錠装置は、不正行為防止用の機構も設けられていた。不正行為防止用の機構は、不正行為によって前後上下の鉤部材のいずれかが針金等にて作動された場合においても、他方の鉤部材が連動して作動することを防止する機構になっていたが、さらに不正行為を強固にする付加または追加装置の要望があった。
【特許文献１】特開２００６−６１１８２号公報
【発明の開示】
【発明が解決しようとする課題】
【０００４】そこで本発明は、従来の施錠装置を変更することはなく不正行為防止用の機構を付加または追加できる遊技機用の施錠付加または追加装置を提供することを課題とする。
【課題を解決するための手段】
【０００５】前記課題を解決するために本発明は、各請求項に記載の通りの構成を備える遊技機用施錠装置への付加または追加装置であることを特徴とする。
請求項１に記載の発明は、不正行為防止用の機構として、シリンダ錠部に取り付けられるロック部材には施錠装置の連結竿の貫通溝部に係合する係止爪部を有している。そして該ロック部材に設けられた２本の係止ピンがカム部材が回動することにより、該ロック部材が該連結竿の摺動を阻止する状態と、該連結竿の摺動を可能にする状態と、が切り替える切り替え保持機構が設けられている。【０００６】したがって施錠状態では、ロック部材は付勢部材により連結竿方向に引き寄せられた状態となる。そして該ロック部材係止爪部が該連結竿貫通溝に係止される状態となる。これにより、該連結竿の摺動はロックされる。かくしてロック状態はその嵌合状態にて保持される。そのため外部より不正に差し込まれた針金等にて解除される心配はない。また、ロック部材は鉤部材や連結竿等を改良することなくシリンダ錠部に取り付けることができる。それにより本形態に係る施錠付加または追加装置は、従来の一般的な施錠装置に対し不正行為防止用として容易に付加または追加することができる。【０００７】請求項２に記載の発明では、シリンダ錠の錠軸には、カム部材が取り付けられており、シリンダ錠に差し込んだ鍵を回転させることによりカム部材が回動し連結竿を摺動させる構成になっている遊技機の施錠装置に付加または追加する不正行為防止装置において、シリンダ錠に差し込んだ鍵を回転させた時のみ、カム部材によって連結竿貫通溝部とロック部材係止爪部の嵌合状態が摺動可能な状態にする構成になっている。よってシリンダ錠に差し込んだ鍵を回転させることによって、嵌合状態が解除され摺動可能な状態となる。それと同時に遊技機の施錠装置の連結竿がカム部材により摺動し上下の鉤部材が作動される。【０００８】請求項３に記載の発明では、切り替え保持機構は、ロック部材に設けられた２本の係止ピンがベース部材とロック部材にかけられた付勢部材により引き寄せられ、カム部材に付勢する構成になっている。またベース部材には該係止ピンをスライドさせる摺動可能な溝が設けられており、付勢力に抗してカム部材を回動させることで係止ピンがベース部材の溝をスライドする。
これによりロック部材係止爪部の連結竿貫通溝部への突出量が減少可能になる構成になっており、シリンダ錠に差し込んだ鍵が回転することにより、シリンダ錠軸に固定されたカム部材が回動し、カム部材により係止されていた係止ピンがベース部材に設けられた溝をスライドする。この時ロック部材係止爪部の突出量が減少することにより、連結竿貫通溝部との嵌合状態が解除され連結竿は摺動可能となる。また、シリンダ錠に差し込まれた鍵を鍵が引き抜ける状態位置まで戻すことで、シリンダ錠軸に固定されたカム部材は回動し、カム部材によりベース部材の溝をスライドしていた係止ピンは付勢部材による付勢力によりカム部材の動きに連動することとなる。これらの動きにより、ロック部材係止爪部と連結竿貫通溝部が再度嵌合することとなり、解除不可能な状態になる。【０００９】請求項４に記載の発明では、ロック部材に設けた２本の係止ピンはカム部材に対し対称な位置に構成され、シリンダ錠に差込まれた鍵を右方向に回転させると上方の係止ピンが作動し、左方向に回転させると下方の係止ピンが作動するように構成されている。かくして連結竿の上方への摺動と下方への摺動を一つのロック部材にてロックの保持と解除が可能な構成が実現できている。【００１０】したがって、図１に示す一般的なパチンコ機の施錠装置では、内枠施錠用の鉤部材とそれを摺動させる連結竿と前枠またはガラス枠施錠用の鉤部材を摺動させる連結竿を有しており、双方の連結竿はシリンダ錠軸に取り付けられたカム部材により摺動され、その摺動する方向は、一方が上方に摺動する構成であれば他方は下方へ摺動する構成となっている。そこでロック部材の係止爪部を双方の連結竿貫通溝部を係止するように形成することで双方の摺動のロック状態の保持と解除ができる構成となっている。【００１１】請求項５に記載の発明では、付加または追加装置の部材はカム部材とシリンダ錠取付けベースとの間のスペースに配置される構成になっており、遊技機の機能に何ら支障をおよぼすものではない構成になっている。遊技機においては不正行為防止対策としてカム部材の近傍を樹脂または鋼鉄製の防犯カバーを付加されているものが多くなってきており、これらカバーによりカム部材の近傍に付加していた不正行為防止装置は取り付けが困難となっているが、本形態ではこれらカバーに影響を受けることなく取り付けができる。【００１２】したがって、外部から針金等を挿し込み不正を行う行為に対して、シリンダ錠が回らない限りロック部材の係止爪部が連結竿の貫通溝部に嵌り込んでいることによりロック状態が保持され遊技機の不正解錠が防止できる。
【発明の効果】
【００１３】本発明に係る遊技機の不正解錠防止のための付加または追加装置によると、遊技機に取り付けられている施錠装置を改良または追加工することなく不正行為防止用の機構を付加または追加できる装置を提供することができる。
【発明を実施するための形態】
【００１４】本発明の実施の形態を図１〜１３にしたがって説明する。
図１、２に示すのは一般的な遊技機の施錠装置であり、基枠体１２、鉤部材１３、１４を有する連結竿８と鉤部材１５，１６，１７を有する連結竿１８、シリンダ錠７を有している。基枠体１２はコの字状の断面形状であって遊技機の前枠裏面に取り付けられている。
【００１５】図３は遊技機のシリンダ錠部に不正解錠防止用として付加または追加する装置を示しており、ベース部材３、ロック部材１、カム部材２を有している。
ベース部材３は、図４に示すようにシリンダ錠７を固定している取付ねじ２０ａ、２０ｂにより共締めする形で取り付ける構成となっている。
【００１６】ロック部材１には、図４，図５に示すように中央の貫通溝近傍に２本の係止ピン５ａ、５ｂがロック部材１を貫通し、さらに表裏に突出するように取り付けられている。また２本の係止ピン５ａ、５ｂの一方の突出部はベース部材３に設けた貫通溝９ａ，９ｂに嵌り込む構成となっている。さらに２本の係止ピン５ａ、５ｂのもう一方の突出部はカム部材２に規制を受ける位置になるように取り付けられている。
【００１７】カム部材２は、シリンダ錠７の錠軸にねじにより固定されている。カム部材２は係合爪２ａ、２ｂを有している。係合爪２ａ、２ｂは、図５に示すように遊技機の施錠装置の連結竿８、１８に形成された貫通溝６ａ、６ｂに差込まれ、貫通溝６ａ、６ｂを構成する壁部８ｂ、８ｃに当接し得る構成になっている。内枠施錠用の鉤部材１３、１４を摺動させる連結竿８は付勢部材１１によって常に下方に付勢されており、前枠またはガラス枠施錠用の鉤部材１５，１６，１７を摺動させる連結竿１８は付勢部材１１によって常に上方に付勢されている。付勢部材１１に抗して係合爪２ａが連結竿８を上方に摺動させる方向にカム部材２を回動させた際には、係合爪２ａが連結竿８の貫通溝６ａの壁部８ｂに当接した後連結竿８を上方に摺動させ、付勢部材１１に抗して係止爪２ｂが連結竿１８を下方に摺動させる方向にカム部材２を回動させた際には、係合爪２ｂが連結竿１８の貫通溝６ｂの壁部８ｃに当接した後連結竿１８を下方に摺動させる。鍵を戻すことによりカム部材２の係止爪２ａは貫通溝６ａを、係止爪２ｂは貫通溝６ｂを空回りし、さらに付勢部材１１により連結竿８は下方に、連結竿１８は上方に摺動する構成になっている。
【００１８】図４に示すのは遊技機が施錠された状態における本装置の状態であり、カム部材２はシリンダ錠７から鍵が抜かれた状態または鍵がシリンダ錠７に差込まれていても回転させていない状態では、カム部材２の係合爪２ａは連結竿８の貫通溝６ａには当接しないように構成され、またカム部材２の係合爪２ｂは連結竿１８の貫通溝６ｂには当接しないように構成されている。またロック部材１の係止爪部１ａ、１ｂは、付勢部材４によって常に連結竿８、１８方向に付勢される構成となっているため、ロック部材１に設けられた２本の係止ピン５ａ、５ｂは常に連結竿８、１８方向に付勢されている。さらに付勢部材４により付勢を受ける２本の係止ピン５ａ、５ｂはその付勢力によりカム部材２に設けた平面部１０ａ、１０ｂに当接される。
【００１９】したがってロック部材１の係止爪部１ａおよび１ｂは付勢部材４の付勢を受けたロック部材１が連結竿８、１８方向に付勢されることにより、係止爪部１ａは連結竿８に設けた貫通溝６ａに係止爪部１ｂは連結竿１８に設けた貫通溝６ｂに差し込まれることになる。ここで、係止爪部１ａは差込まれたことにより連結竿８を上方へ動かそうとしても貫通溝部６ａの壁部８ａはロック部材１の係止爪部１ａの規制を受けることとなり、係止爪部１ｂは差込まれたことにより連結竿１８を下方へ動かそうとしても貫通溝６ｂの壁部８ｄはロック部材１の係止爪部１ｂの規制を受けることとなりロック状態が保持されることになる。
これは外部より遊技機を解錠するために針金等による不正行為が行われても、ロック部材１の係止爪部１ａ、１ｂと連結竿８、１８に設けられた貫通溝６ａ、６ｂが嵌合しロック状態を保持していることにより、不正な解錠行為は防止できることになる。
【００２０】図６に示すのは遊技機の内枠が開放された状態における本装置の状態であり、シリンダ錠７に差し込まれた鍵を右方向に回転させることにより錠軸に取り付けられたカム部材２が回動して係合爪２ａが連結竿８の貫通溝６ａの壁部８ｂに当接し、さらにカム部材２が回動することにより、連結竿８は上方に動いた状態であることを示している。またカム部材２が回動することで、カム部材２に設けられた平面部１０ａも追従して回動することとなる。したがって平面部１０ａに付勢部材４により付勢されているピン５ａはベース部材３に設けられた溝９ａに沿って摺動することになる。係止ピン５ａはロック部材１に取り付けてあることにより係止ピン５ａが動けばロック部材も同一の方向に移動することになる。
【００２１】図７に示すのは遊技機の前枠またはガラス枠が開放された状態における本装置の状態であり、シリンダ錠７に差し込まれた鍵を左方向に回転させることにより錠軸に取り付けられたカム部材２が回動して係合爪２ｂが連結竿１８の貫通溝６ｂの壁部８ｃに当接し、さらにカム部材２が回動することにより、連結竿１８は下方に動いた状態であることを示している。またカム部材２が回動することで、カム部材２に設けられた平面部１０ｂも追従して回動することとなる。したがって平面部１０ｂに付勢部材４により付勢されているピン５ｂはベース部材３に設けられた溝９ｂに沿って摺動することになる。係止ピン５ｂはロック部材１に取り付けてあることにより係止ピン５ｂが動けばロック部材も同一の方向に移動することになる。
【００２２】したがってカム部材２が回動することで、ロック部材１の係止爪部１ａ、１ｂと作動竿８、１８の貫通溝６ａ、６ｂの嵌合状態が同時に解除されロックの保持が解かれることになる。
【００２３】図８、９はカム部材２の係合爪２ａが連結竿８の貫通溝６ａの壁部８ｂに当接した時点の状態図を示している。前記のようにシリンダ錠７を鍵により回すことでカム部材２が回動しロック部材１に取り付けられたピン５ａが移動し最終的にロック部材１が移動することで、連結竿８の貫通溝６ａとの嵌合が解かれてロックは解除されるが、連結竿８の貫通溝６ａの壁部８ｂにカム部材２の係合爪２ａが当接してからロッックを解除しようとしてもロック部材１の係止部１ａと連結竿８の貫通溝６ａの壁部８ａとの嵌合により係止部１ａが干渉してしまい解除ができなくなる状態に陥る。そのために、カム部材２の係合爪２ａが連結竿８の貫通溝６ａの壁部８ｂに当接するまでに空回り範囲を設けたことによりカム部材２の係合爪２ａが当接する前に、ロッックが解除される構成となっている。
【００２４】図１０、１１はカム部材２の係合爪２ｂが連結竿１８の貫通溝６ｂの壁部８ｃに当接した時点の状態図を示している。前記のようにシリンダ錠７を鍵により回すことでカム部材２が回動しロック部材１に取り付けられたピン５ｂが移動し最終的にロック部材１が移動することで、連結竿１８の貫通溝６ｂとの嵌合が解かれてロックは解除されるが、連結竿１８の貫通溝６ｂの壁部８ｃにカム部材２の係合爪２ｂが当接してからロックを解除しようとしてもロック部材１の係止部１ｂと連結竿１８の貫通溝６ｂの壁部８ｄとの嵌合により係止部１ｂが干渉してしまい解除ができなくなる状態に陥る。そのために、カム部材２の係合爪２ｂが連結竿１８の貫通溝６ｂの壁部８ｃに当接するまでに空回り範囲を設けたことによりカム部材２の係合爪２ｂが当接する前に、ロックが解除される構成となっている。
【００２５】カム部材２が右方向に回動することでロック部材１に取り付けられた係止ピン５ａが移動することを前記したが、その移動範囲には規制が設けられており、図６に示すのは最大移動時点の状態を示している。係止ピン５ａの移動範囲は、カム部材２の平面部１０ａの長さで設定されており、平面部１０ａを係止ピン５ａが越えるとカム部材２の円周部となり係止ピン５ａの摺動は停止するように構成されている。
【００２６】カム部材２が左方向に回動することでロック部材１に取り付けられた係止ピン５ｂが移動することを前記したが、その移動範囲には規制が設けられており、図７に示すのは最大移動時点の状態を示している。係止ピン５ｂの移動範囲は、カム部材２の平面部１０ｂの長さで設定されており、平面部１０ｂを係止ピン５ｂが越えるとカム部材２の円周部となり係止ピン５ｂの摺動は停止するように構成されている。
【００２７】シリンダ錠７に差込まれた鍵はシリンダ錠の中心を基準に左右に回転するようになっており、パチンコ機においては右に回転させれば本体枠が解錠でき、左に回転させれば前枠またはガラス枠が解錠できる。また回胴式遊技機においては右に回転させれば前枠が解錠でき、左に回転させればセンサースイッチの操作ができるように構成されている。本発明の装置においては、前記の鍵の回転が左右どちらの方向に回転してもロックの解除ができるようにカム部材２の平行部１０ａ、１０ｂを左右対称に設け、ロック部材１に取り付けられている係止ピン５ａは右回動用として、係止ピン５ｂは左回動用として構成されている。
【００２８】右回転していた鍵をシリンダ錠から抜ける位置まで戻すと、カム部材２は貫通溝６ａを空回りして回動し、連結竿８はカム部材２の係合爪２ａの付勢がなくなることと施錠装置の付勢部材１１の付勢力により下方に摺動する。貫通溝６ａがロック部材１の係止爪部１ａの位置まで摺動することにより、係止爪部１ａは付勢部材４により貫通溝６ａの方向に付勢力を受けることになる。その付勢力により係止爪部１ａは貫通溝６ａの方向に摺動し、ロック部材１に取り付けられた係止ピン５ａがカム部材２の平面部１０ａに当接して摺動は止まるように構成されている。この状態で外部より遊技機を解錠するために針金等による不正行為が行われても、ロック部材１の係止部１ａと連結竿８に設けられた貫通溝６ａが嵌合しロック状態を保持していることにより、不正な解錠行為は防止できることになる。
【００２９】また、左回転していた鍵をシリンダ錠から抜ける位置まで戻すと、カム部材２は貫通溝６ａを空回りして回動し、連結竿１８は、カム部材２の係合爪２ｂの付勢がなくなることと施錠装置の付勢部材の付勢力により上方に摺動する。貫通溝６ｂがロック部材１の係止爪部１ｂの位置まで摺動することにより、係止爪部１ｂは付勢部材４により貫通溝６ｂの方向に付勢力を受けることになる。その付勢力により係止爪部１ｂは貫通溝６ｂの方向に摺動し、ロック部材１に取り付けられた係止ピン５ｂがカム部材２の平面部１０ｂに当接して摺動は止まるように構成されている。この状態で外部より遊技機を解錠するために針金等による不正行為が行われても、ロック部材１の係止爪部１ｂと連結竿１８に設けられた貫通溝６ｂが嵌合しロック状態を保持していることにより、不正な解錠行為は防止できることになる。
【００３０】図１２、１３に示すようにロック部材１にはＬ型に曲げた立設壁１ｃが設けられている。ロック部材１はロック状態では、付勢部材４により連結竿８およびカム部材２方向に付勢され、ロック状態を保持しているが、ベース部材３の端部３ｂが立設壁１ｃに当接する構成になっており、立接壁１ｃは付勢部材４により常にベース部材３の係止壁３ｂ方向に付勢を受けた状態となるように構成されている。また付勢部材４は係止壁３ｂとロック部材１の係止爪部１ａ、１ｂの間に掛けられているため、立設壁１ｃと係止壁３ｂが当接することにより付勢部材４の付勢力は当接部を起点にして動くことになり、ロック状態がさらに強固かつ確実になるように構成されている。
【００３１】したがって付勢部材４の付勢力はロック保持状態のみならず、シリンダ錠７に差込まれた鍵を回しカム部材２が回動した際においても常に係止ピン５ａはカム部材２の平面部１０ａに当接するように、係止ピン５ｂはカム部材２の平面部１０ｂに当接するように構成され、動きを円滑にしている。
【００３２】ロック部材１はロック状態では、付勢部材４により連結竿８およびカム部材２方向に付勢され、ロック状態を保持しており、外部から針金等を使用しての不正行為により連結竿８を上方へ動かそうとした時、ロック部材１の係止爪部１ａと連結竿８の貫通溝６ａが嵌合状態にあるため連結竿８は上方へは動かない構成になっている。にも係らずロック状態に抗して連結竿８を上方へ動かそうとすると、連結竿８の貫通溝６ａの壁部８ａがロック部材１の係止爪部１ａを上方へ押し上げようとする力が働くことになる。この場合図１２の矢示で示すように、ロック部材１は係止ピン５ａおよびシリンダ錠軸を支点として立設壁１ｃはベース部材３に設けた係止壁３ａ方向に回動することになる。
【００３３】前記の立設壁１ｃとベース部材３の係止壁３ｂと付勢部材４の関係は、外部より不正行為により針金等で連結竿８を上方に移動させようと操作する場合、ロック部材１の係止爪部１ａが連結竿８の貫通溝部６ａの壁部８ａに嵌合状態になっているため解錠方向に連結竿８を摺動させることはできない構成になっているが、外部から連結竿８を上方に摺動させる付勢力が異常に強い場合において、ロック部材１の係止爪部１ａに連結竿８の貫通溝６ａの壁部８ａが強く当接することがあった場合図１２で矢示するようにロック部材１の立設壁１ｃはベース部材３の係止壁３ａ方向に回動する構成になっている。またロック部材１の立設壁１ｃがベース部材３の係止壁３ａで係止されることにより、ロック状態は保持され嵌合状態が不安定になるのを防止する有効な手段にもなっている。
【００３４】ロック保持状態においてロック部材１の立設壁１ｃは付勢部材４によりベース部材３の係止壁３ｂに当接しているが、外部から針金等を使用した不正行為により連結竿１８を下方に摺動させる付勢力が異常に強い場合において、ロック部材１の係止爪部１ｂに連結竿１８の貫通溝６ｂの壁部８ｄが強く当接することによりロック部材１の立設壁１ｃはさらにベース部材３の係止壁３ｂに押し付けられることになる。
しかしベース部材３に設けられた係止壁３ｂはベース部材３と一体となっているためロック部材１の立設壁１ｃは当接した状態を保持することになる。これによりロック部材１の係止爪部１ｂとの嵌合状態は解除されることなくロック状態が保持される構成になっている。
【００３５】したがって、外部から針金等による不正行為により連結竿８、１８が強く操作された場合においても、ロック部材１に設けられた立設壁１ｃが、ベース部材３の係止壁３ａ、３ｂに当接しロックされることから、ロック部材１の係止爪部１ａ、１ｂは連結竿８および１８の貫通溝６ａ、６ｂの壁部８ａ、８ｄの嵌合状態は解除されずロック状態が保持される構成になっている。
【００３６】従来の一般的な遊技機の施錠装置は、不正行為防止用の機構を有していない構成になっていた。そしてその施錠装置に対して不正行為防止用の機構を付加および追加する際には、先ず、すでに遊技機のシリンダ錠軸に取り付けられているカム部材を錠軸から取り外し、シリンダ錠７を取り付けている固定ビス２本を取外し、ベース部材３をシリンダ錠７と共にビス止めする。その上にロック部材１と付勢部材４を取り付けた後カム部材２を錠軸に固定する。したがって本形態は、従来の一般的な遊技機の施錠装置に対して不正行為防止用の機構を容易に付加または追加することができる構成になっている。
【００３７】シリンダ錠７の錠軸には図２に示すようにカム部材２が取り付けられており、シリンダ錠７に差し込んだ鍵を回すことによってカム部材２が回動しカム部材２が連結竿８、１８を摺動させる構成になっている。またロック保持機構すなわち切替え保持機構は、シリンダ錠７に差込んだ鍵を回した時のみ、カム部材２によってロック部材１の係止爪部１ａ、１ｂと連結竿８、１８の貫通溝６ａ、６ｂとの嵌合状態を解除可能な状態にする構成になっている。したがってシリンダ錠７に差込んだ鍵を回すことによって、嵌合状態が解除される。そしてこれと同時に、カム部材２によって連結竿８、１８が摺動される。この二つの動作のいずれもカム部材２を介して行われる。
また鍵を回す一つの動作でこれら二つの機能が同時になされるため、操作性に有効な構成にもなっている。
【００３８】（他の実施の形態）
本発明は、上記の実施の形態に限定されず、以下の形態であってもよい。
（１）上記の実施の形態に係る遊技機の施錠装置は、施錠装置にシリンダ錠が取り付けられていた。しかしシリンダ錠が施錠装置以外の遊技機構成部材に取り付けられる形態であっても良い。
（２）上記の実施の形態に係るベース部材の取り付けは、シリンダ錠を取り付けている固定ビスを併用することになっているが、遊技機の形態によりシリンダ錠の取り付け方法が異なる場合がある。しかし本形態は、遊技機固有のシリンダ錠の取り付け方法に合せることが可能である。
（３）上記の実施の形態に係るロック部材は係止爪部１ａおよび１ｂの二つの爪部を有しており、上方に摺動する連結竿および下方に摺動する連結竿の双方をロックできる形態になっているが、爪部を一つにしてどちらか一方の連結竿をロックする形態であっても良い。
【図面の簡単な説明】
【００３９】
【図１】一般的な遊技機の施錠装置の側面図である。
【図２】一般的な遊技機の施錠装置の背面図である。
【図３】本装置をシリンダ錠の後方からの正面図である。
【図４】本装置を遊技機の施錠装置シリンダ錠後部に取り付けた状態図である。
【図５】図２の状態の背面図である。
【図６】本装置におけるカム部材右最大回動状態における正面図である。
【図７】本装置におけるカム部材左最大回動状態における正面図である。
【図８】本装置の可動状態の正面図である。
【図９】図７の状態の背面図である。
【図１０】図７の状態の背面図である。
【図１１】図９の状態の背面図である。
【図１２】本装置のロック状態保持の関係図である。
【図１３】図１１の状態の背面図である。
【符号の説明】
【００４０】１・・・ロック部材
１ａ・・・ロック部材係止爪部
１ｂ・・・ロック部材係止爪部
１ｃ・・・ロック部材立設壁
２・・・カム部材
２ａ・・・カム部材係合爪
２ｂ・・・カム部材係合爪
３・・・ベース部材
３ａ・・・ベース部材係止壁
３ｂ・・・ベース部材係止壁
４・・・付勢部材
５ａ・・・係止ピン
５ｂ・・・係止ピン
６ａ・・・貫通溝
６ｂ・・・貫通溝
７・・・シリンダ錠
８・・・連結竿
８ａ・・・連結竿貫通溝壁部
８ｂ・・・連結竿貫通溝壁部
８ｃ・・・連結竿貫通溝壁部
８ｄ・・・連結竿貫通溝壁部
９ａ・・・ベース部材貫通溝
９ｂ・・・ベース部材貫通溝
１０ａ・・・カム部材平面部
１０ｂ・・・カム部材平面部
１１・・・付勢部材
１２・・・基枠体
１３・・・鉤部材
１４・・・鉤部材
１５・・・鉤部材
１６・・・鉤部材
１７・・・鉤部材
１８・・・連結竿
２０ａ・・・取付ネジ
２０ｂ・・・取付ネジ
【図１】
2010154872.tif 000003
【図２】
2010154872.tif 000004
【図３】
2010154872.tif 000005
【図４】
2010154872.tif 000006
【図５】
2010154872.tif 000007
【図６】
2010154872.tif 000008
【図７】
2010154872.tif 000009
【図８】
2010154872.tif 000010
【図９】
2010154872.tif 000011
【図１０】
2010154872.tif 000012
【図１１】
2010154872.tif 000013
【図１２】
2010154872.tif 000014
【図１３】
2010154872.tif 000015